(57)【要約】【課題】管路と稼動部材との干渉を抑止することができるとともに、組立性の良好な内視鏡を提供する。【解決手段】内視鏡本体３０は、その内部に、管路１１，１２及びアングルワイヤ１８を有する。チューブ接続装置４１は、管路１１の少なくとも一部を構成するチューブ１１ａ，１１ｂ同士を接続し、チューブ接続装置４２は、管路１２の少なくとも一部を構成するチューブ１２ａ，１２ｂ同士を接続する。固定部材４４は、各チューブ接続装置４１，４２の少なくとも一部を内視鏡本体３０に対して固定する。チューブ接続装置４１，４２によってチューブ１１ａ，１１ｂ，１２ａ，１２ｂを接続させることで、アングルワイヤ１８を避けた規定位置に管路１１，１２を配置する。【選択図】      図２
2006218100.tif 000002
【特許請求の範囲】
【請求項１】
内視鏡本体内に管路を有する内視鏡であって、
前記内視鏡本体内に設けられ、前記管路の少なくとも一部を構成する一対のチューブと、
前記一対のチューブ同士を接続可能なチューブ接続装置と、
前記チューブ接続装置の少なくとも一部を前記内視鏡本体に対して固定可能な固定部材と、
前記内視鏡本体内に設けられ、該内視鏡本体内で稼動する稼動部材とを具備し、
前記管路は、前記固定部材により少なくとも一部を前記内視鏡本体に対して固定された前記チューブ接続装置によって前記一対のチューブを互いに接続させることで、前記稼動部材とその稼動範囲を避けた規定位置に配置されることを特徴とする内視鏡。
【請求項２】
前記管路は、送水用管路、送気送水用管路、吸引管路、又は、送気用管路であることを特徴とする請求項１に記載の内視鏡。
【請求項３】
内視鏡本体内に少なくとも１つの管路を有する内視鏡であって、
前記内視鏡本体内に設けられた複数のチューブと、
互いに隣り合うチューブ同士を接続可能な少なくとも１つのチューブ接続装置、及び、前記チューブ接続装置の少なくとも一部を前記内視鏡本体に対して固定する固定部材を有する接続機構と、
前記内視鏡本体内に設けられ、該内視鏡本体内で稼動する稼動部材とを具備し、
互い隣り合うチューブを前記チューブ接続装置によって接続させることで、これら接続されたチューブを有して構成される管路が前記稼動部材とその稼動範囲を避けた規定位置に配置されることを特徴とする内視鏡。
【発明の詳細な説明】
【技術分野】
【０００１】
本発明は、送水用管路、送気送水用管路、吸引管路、又は、送気用管路等のような管路を備えた内視鏡に関する。
【背景技術】
【０００２】
内視鏡としては、管路が内蔵されたものがある。この管路は、挿入部から操作部を経て、ユニバーサルコードに内装され、光源装置に接続するコネクタにまで達している。そのため、内視鏡の種類によって異なるが、多くの場合、管路は、全長が２５００ｍｍ以上にも及ぶ。このように比較的長い管路を有する内視鏡では、管路を構成するチューブを接続装置によって途中で分割可能に接続したものが知られている（例えば、特許文献１参照。）。
【０００３】
また、チューブの接続装置としては、端部に大径部を有する接続部材を備えたものが知られている。このチューブの接続装置では、接続部材の大径部にチューブを被せ、チューブと接続部材との密着部上に、加温により熱変形する管状部材を設けることで、チューブを接続部材に固定している（例えば、特許文献２参照。）。
【特許文献１】特開２００１−２５８８３２号公報（段落０００９〜段落００３８、図５）
【特許文献２】特開昭５７−１６１３９４号公報（第６段〜第８段、図７）
【発明の開示】
【発明が解決しようとする課題】
【０００４】
ところで、内視鏡には、挿入部の一部をなす湾曲部のアングルを調整するためのアングルワイヤのような稼動部材が、挿入部から操作部にわたって内蔵されたものがある。このアングルワイヤは、内視鏡本体内にて、操作部に設けられたアングルレバーと接続部材を介して接続されている。
【０００５】
しかしながら、このアングルワイヤは、湾曲部のアングルを調整することによって様々な方向に移動する。そのため、湾曲部のアングルを調整した際に、アングルワイヤやアングルワイヤの接続部材がチューブの接続装置（接続部材）に干渉してしまうことがある。
【０００６】
本発明は、このような事情に基づいてなされたものであり、管路と稼動部材との干渉を抑止することができるとともに、組立性の良好な内視鏡を提供することを目的とする。
【課題を解決するための手段】
【０００７】
本発明の一態様に係わる内視鏡は、内視鏡本体内に管路を有する内視鏡であって、前記内視鏡本体内に設けられ、前記管路の少なくとも一部を構成する一対のチューブと、前記一対のチューブ同士を接続可能なチューブ接続装置と、前記チューブ接続装置の少なくとも一部を前記内視鏡本体に対して固定可能な固定部材と、前記内視鏡本体内に設けられ、該内視鏡本体内で稼動する稼動部材とを具備し、前記管路は、前記固定部材により少なくとも一部を前記内視鏡本体に対して固定された前記チューブ接続装置によって前記一対のチューブを互いに接続させることで、前記稼動部材とその稼動範囲を避けた規定位置に配置される。
【０００８】
本発明の一態様に係わる内視鏡によれば、一対のチューブを接続装置により互いに接続させることによって、管路の少なくとも一部を構成することができる。また、固定部材によって、チューブ接続装置の少なくとも一部が内視鏡本体に固定されているため、接続されたチューブを有して構成される管路を所定の位置に設けることができる。すなわち、接続されたチューブを有して構成される管路を、稼動部材とその稼動範囲を避けた規定位置に配置することが可能である。したがって、管路と稼動部材との干渉を抑止することができる。
【０００９】
しかも、チューブ同士の接続位置が規定位置に決定されるため、狭い空間でも組立性が良好である。また、一対のチューブを有して構成される管路の位置を規定位置に定めることができるため、内視鏡本体内を洗滌するための洗滌ブラシ等の内視鏡本体内への挿入性を向上させることができる。
【発明の効果】
【００１０】
上記本発明の一態様によれば、管路と稼動部材との干渉を抑止することができるとともに、組立性の良好な内視鏡が得られる。
【発明を実施するための最良の形態】
【００１１】
以下、本発明の一実施形態について、図１乃至図９を参照して説明する。なお、本実施形態では、内視鏡の挿入部の方向を前方向（先端方向）、挿入部の方向とは反対の方向を後方向（基端方向）として説明する。
【００１２】
図１に示すように、本実施形態の内視鏡１は、例えば、腹腔鏡検査に用いられる内視鏡であって、挿入部２、操作部３、ユニバーサルコード４、ライトガイドコネクタ５、カメラケーブル蛇管６、カメラコネクタ７、送水用管路１１、及び送気用管路１２等を備えている。
【００１３】
挿入部２は、先端側より、先端硬質部８、湾曲部９、及び硬性挿入部１０を順次連結して構成されている。挿入部２の基端である硬性挿入部１０の基端には、操作部３が連結されている。操作部３の基端には、ユニバーサルコード４が設けられている。ユニバーサルコード４の基端には、ライトガイドコネクタ５が設けられている。ユニバーサルコード４は、ライトガイドコネクタ５を介して、光源装置１００に接続可能である。光源装置１００は、操作パネル１０２を有している。
【００１４】
ライトガイドコネクタ５からは、カメラケーブル蛇管６が分岐している。カメラケーブル蛇管６の基端には、カメラコネクタ７が設けられている。カメラケーブル蛇管６は、カメラコネクタ７を介して、ビデオプロセッサ１０１に接続可能である。挿入部２、操作部３、ユニバーサルコード４、及びライトガイドコネクタ５を有して、内視鏡本体３０が構成されている。
【００１５】
先端硬質部８内には、撮像ユニット３２（図６参照）が収容されている。撮像ユニット３２は、図示しないが、対物レンズを有する光学系と、この光学系を通して結像された観察像を電気信号に変換する撮像素子としてのＣＣＤとを有している。撮像ユニット３２は、光学系を先端方向に向けた姿勢で、先端硬質部８内に収容されている。光学系の先端は、カバーガラス３３によって覆われている。撮像ユニット３２は、ユニバーサルコード４、ライトガイドコネクタ５、及びカメラケーブル蛇管６を介して、カメラコネクタ７と電気的に接続されている。内視鏡本体３０内には、一対のライトガイド３４（図５参照）が挿通されている。これらライトガイド３４は、ユニバーサルコード４を介して、ライトガイドコネクタ５に接続されている。
【００１６】
図２に示すように、内視鏡本体３０は、湾曲部９を動作させる湾曲機構を有している。湾曲機構は、稼動部材としての複数のアングルワイヤ１８と、アングルレバー１９とを有している。アングルレバー１９は、操作部３に設けられている。アングルワイヤ１８は、湾曲部９内、硬性挿入部１０、及び、操作部３内に挿通され、その基端が操作部３に設けられたアングルレバー１９と接続されている。湾曲機構は、アングルレバー１９を操作し、アングルワイヤ１８を稼動させることによって、湾曲部９が湾曲するように構成されている。
【００１７】
アングルワイヤ１８は、操作部３内において、一対のワイヤ部材１８ａ，１８ｂに分割されている。すなわち、アングルワイヤ１８は、湾曲部９及び硬性挿入部１０に内蔵されて、操作部３内に導入される第１のワイヤ部材１８ａと、この第１のワイヤ部材１８ａとアングルレバー１９とを繋ぐ第２のワイヤ部材１８ｂとを有している。第１及び第２のワイヤ部材１８ａ，１８ｂは、稼動部材でもあるワイヤ接続部材４３によって互いに接続されている。アングルワイヤ１８は、複数存在する。
【００１８】
図１及び図２に示すように、内視鏡本体３０は、その内部に、１つ以上、例えば、２つの管路を有している。すなわち、内視鏡本体３０は、水や洗浄液等の液体を通す上記送水用管路１１と、空気等の気体を通す上記送気用管路１２との２つの管路を有している。なお、内視鏡本体３０内には、送水用管路１１や送気用管路１２の他、送気送水用管路や吸引管路等といった管路を設けてもよい。
【００１９】
送水用管路１１と送気用管路１２とは、挿入部２内において合流している。送気用管路１２と送水用管路１１とが合流してなる合流管路３１は、先端硬質部８の先端面８ａに開口部３１ａを有している。
【００２０】
送水用管路１１及び送気用管路１２の基端は、円筒状の送気送水用口金１３と接続されている。送気送水用口金１３は、ライトガイドコネクタ５に着脱自在に取付けられている。送気送水用口金１３は、図示しないチューブを介して送水源と接続可能である。また、送気送水用口金１３には、送気用口金１４が設けられている。送気用口金１４は、図示しないチューブを介して送気源と接続可能である。
【００２１】
なお、光源装置１００は、上述のように操作パネル１０２を有している。そのため、送気用口金１４は、ライトガイドコネクタ５を光源装置１００に接続するとともにカメラコネクタ７をビデオプロセッサ１０１に接続した際に、送気用口金１４に接続されるチューブが操作パネル１０２近傍を回避するように（操作パネル１０２の操作の邪魔になり難いように）、その配置を設定するのが好ましい。本実施形態では、送気用口金１４は、例えば、ライトガイドコネクタ５を光源装置１００に接続するとともにカメラコネクタ７をビデオプロセッサ１０１に接続した際に、送気用口金１４に接続されるチューブが操作パネル１０２の方向を避けた方向（操作パネル１０２の方向とは異なる方向）に延出するように、その配置が設定されている。このようにすることにより、操作パネル１０２の操作性を向上させることができる。
【００２２】
図１に示すように、操作部３には、送気送水シリンダ１５が内蔵されている。送気送水シリンダ１５には、送気用管路１２及び送水用管路１１と夫々連通されている。送気送水シリンダ１５には、送気送水ボタン１６が着脱自在に嵌め込まれている。送気送水ボタン１６を操作することにより、上記送水源から、送水用管路１１、及び、合流管路３１を介して、先端硬質部８の先端面８ａから水や洗浄液等を吐出させることができる。また、送気送水ボタン１６を操作することにより、上記送気源から、送気用管路１２、及び、合流管路３１を介して、先端硬質部８の先端面８ａから空気等を吐出させることができる。
【００２３】
送水用管路１１は、少なくとも２つのチューブ１１ａ，１１ｂを有している。この内視鏡１では、送水用管路１１は、内視鏡本体３０内、例えば、操作部３内で２つのチューブ１１ａ，１１ｂに分割されている。同様に、送気用管路１２は、少なくとも２つのチューブ１２ａ，１２ｂを有している。この内視鏡１では、送気用管路１２は、内視鏡本体３０内、例えば、操作部３内で２つのチューブ１２ａ，１２ｂに分割されている。
【００２４】
詳しくは、送水用管路１１は、挿入部２に内蔵されて操作部３に延出する第１の送水用チューブ１１ａと、操作部３から延出してユニバーサルコード４及びライトガイドコネクタ５に内蔵される第２の送水用チューブ１１ｂとを有している。第１の送水用チューブ１１ａと第２の送水用チューブ１１ｂとは互いに隣り合っている。同様に、送気用管路１２は、挿入部２に内蔵されて操作部３に延出する第１の送気用チューブ１２ａと、操作部３から延出してユニバーサルコード４及びライトガイドコネクタ５に内蔵される第２の送気用チューブ１２ｂとを有している。第１の送気用チューブ１２ａと第２の送気用チューブ１２ｂとは互いに隣り合っている。
【００２５】
また、この内視鏡１は、内視鏡本体３０内、例えば、操作部３内に、接続機構４０を有している。第１及び第２の送水用チューブ１１ａ，１１ｂは、接続機構４０が有する送水用チューブ接続装置４１によって互いに接続されている。第１及び第２の送気用チューブ１２ａ，１２ｂは、接続機構４０が有する送気用チューブ接続装置４２によって互いに接続されている。
【００２６】
詳しくは、接続機構４０は、図２に示すように、第１及び第２の送水用チューブ１１ａ，１１ｂを互いに接続可能な第１のチューブ接続装置としての送水用チューブ接続装置４１と、第１及び第２の送気用チューブ１２ａ，１２ｂを互いに接続可能な第２のチューブ接続装置としての送気用チューブ接続装置４２と、固定部材４４とを有している。
【００２７】
送水用チューブ接続装置４１は、第１の送水用チューブ接続部材４１ａと、第２の送水用チューブ接続部材４１ｂとを有している。第１の送水用チューブ接続部材４１ａと第２の送水用チューブ接続部材４１ｂとは、着脱自在且つ液密に接続可能である。第１及び第２の送水用チューブ接続部材４１ａ，４１ｂは、これらを互いに接続させた際に、内部に液体が流通するように中空に形成されている。
【００２８】
同様に、送気用チューブ接続装置４２は、第１の送気用チューブ用接続部材４２ａと、第２の送気用チューブ接続部材４２ｂとを有している。第１の送気用チューブ用接続部材４２ａと第２の送気用チューブ接続部材４２ｂとは、着脱自在且つ気密に接続可能である。第１及び第２の送気用チューブ接続部材４２ａ，４２ｂは、これらを互いに接続させた際に、内部に気体が流通するように中空に形成されている。
【００２９】
固定部材４４は、内視鏡本体３０内、例えば、操作部３内に固定されている。固定部材４４は、送水用チューブ接続装置４１の少なくとも一部、例えば、第１の送水用チューブ接続部材４１ａを固定しているとともに、送気用チューブ接続装置４２の少なくとも一部、例えば、第１の送気用チューブ用接続部材４２ａを操作部３に固定している。また、固定部材４４は、アングルワイヤ１８の挿通を誘導する誘導部としての溝４４ａを有している。
【００３０】
第１の送水用チューブ接続部材４１ａは、第１の送水用チューブ１１ａの基端に取付けられている。第２の送水用チューブ接続部材４１ｂは、第２の送水用チューブ１１ｂの先端に取付けられている。したがって、固定部材４４によって固定されている第１の送水用チューブ接続部材４１ａに、第２の送水用チューブ接続部材４１ｂを近づけながら、これらを互いに接続させることにより、第１の送水用チューブ１１ａと第２の送水用チューブ１１ｂとを互いに連通させることができる。また、これにより、第１及び第２の送水用チューブ１１ａ，１１ｂとを有して構成される送水用管路１１を、操作部３内において、固定部材４４によって定められる第１の規定位置（任意位置）に固定することができる。
【００３１】
同様に、第１の送気用チューブ用接続部材４２ａは、第１の送気用チューブ１２ａの基端に取付けられている。第２の送気用チューブ接続部材４２ｂは、第２の送気用チューブ１２ｂの先端に取付けられている。したがって、固定部材４４によって固定されている第１の送気用チューブ用接続部材４２ａに、第２の送気用チューブ接続部材４２ｂを近づけながら、これらを互いに接続させることにより、第１の送気用チューブ１２ａと第２の送気用チューブ１２ｂとを互いに連通させることができる。また、これにより、第１及び第２の送気用チューブ１２ａ，１２ｂを有して構成される送気用管路１２を、操作部３内において、固定部材４４によって定められる第２の規定位置（任意位置）に固定することができる。
【００３２】
上述のように、第１及び第２のワイヤ部材１８ａ，１８ｂは、ワイヤ接続部材４３によって互いに接続されており、アングルレバー１９を操作することにより、内視鏡本体３０内のアングルワイヤ１８が前後し、これにより、湾曲部９が湾曲する。すなわち、アングルレバー１９の操作により、アングルワイヤ１８とともに、ワイヤ接続部材４３の位置も変化する。
【００３３】
そのため、本実施形態の内視鏡１では、ワイヤ接続部材４３は、アングルレバー１９を操作し、第１及び第２のワイヤ部材１８ａ，１８ｂを繋いでなるアングルワイヤ１８を稼動させたときに、固定部材４４と干渉しない位置に設けられている。また、ワイヤ接続部材４３は、アングルレバー１９を操作し、第１及び第２のワイヤ部材１８ａ，１８ｂを繋いでなるアングルワイヤ１８を稼動させたときに、送水用チューブ接続装置４１や送気用チューブ接続装置４２とも干渉しない位置に設けられている。さらに、ワイヤ部材１８ａ，１８ｂは、固定部材４４に形成された溝４４ａに支持され、送水用管路１１や送気用管路１２が配置されている第１及び第２の規定位置を避けた領域に誘導されている。
【００３４】
したがって、本実施形態に内視鏡１によれば、アングルレバー１９を操作し、アングルワイヤ１８を稼動させても、アングルワイヤ１８及びワイヤ接続部材４３が、固定部材４４、送水用チューブ接続装置４１、或いは、送気用チューブ接続装置４２と干渉するのを抑制することができる。
【００３５】
また、図４に示すように、挿入部２には、図３に示すようなシース２３を着脱自在に装着することができる。シース２３の最先端には、硬性部材からなる略円筒状の先端枠２４が設けられている。先端枠２４の基端には、軟性部材からなる湾曲チューブ２５が設けられている。湾曲チューブ２５の基端には、硬質のパイプからなる硬性部２６が設けられている。
【００３６】
図４乃至図６に示すように、先端枠２４には、合流管路３１の先端の開口部３１ａと対向するように、整流板２４ａが設けられている。この整流板２４ａは、先端枠２４の縁から先端硬質部８の先端面８ａの中心方向に向かって張り出すように設けられている。この整流板２４ａは、合流管路３１の開口部３１ａを覆うとともに、一対のライトガイド３４の先端やカバーガラス３３には干渉しないように設けられている。合流管路３１の開口部３１ａから吐出された水や空気等は、整流板２４ａに当たって、カバーガラス３３の方向に折り返される。これにより、カバーガラス３３を良好に洗浄することができる。
【００３７】
図７及び図８に示すように、硬性部２６の基端には、その長手方向に沿ってスリット２７が設けられている。また、硬性部２６の基端には、その外周面に沿って第１の係合部としての係合溝２８が形成されている。
【００３８】
シース２３は、操作部３の先端部分（後述する可動円筒部材６１）に対し、長手方向及び周方向に位置決めされた状態で、クリック感をもってストレートに取付けられるようになっている。また、操作部３は、先端部分（後述する可動円筒部材６１）を挿入部２及びシース２３とともに、操作部３の本体部分に対して所定の角度だけ回転させるための回転機構を有している。
【００３９】
図８及び図９に示すように、操作部３は、第１の円筒部材としての上記可動円筒部材６１と、この可動円筒部材６１の内側に設けられた第２の円筒部材としての固定円筒部材６２と、操作部本体６３とを有している。可動円筒部材６１及び固定円筒部材６２は、操作部３の先端部分（操作部本体６３の先端部分）に設けられている。挿入部２は、可動円筒部材６１に固定されている。
【００４０】
固定円筒部材６２は、操作部本体６３内にその先端側から気密に嵌め込まれている。可動円筒部材６１は、固定円筒部材６２内にその先端側から気密に嵌め込まれている。なお、図８中符号６４及び符号６５は、シール部材としてのＯ−リングを示している。また、図９中符号６６，６７は、可動円筒部材６１が固定円筒部材６２から不用意に抜け落ちるのを抑止するための抜け止め突起を示している。
【００４１】
図９に示すように、可動円筒部材６１の外面には、外方に突出するように、第１のピン６８と第２のピン６９とが設けられている。一方、固定円筒部材６２の内面には、第３のピン７０が固定されている。そのため、可動円筒部材６１は、操作部本体６３及びこれに固定された固定円筒部材６２に対して、第１のピン６８が第３のピン７０に当接する第１の位置から、第２のピン６９が第３のピン７０に当接する第２の位置までの所定の角度θの範囲内で回転する。
【００４２】
また、可動円筒部材６１は、固定円筒部材６２よりも挿入部２側に張り出しており、シース２３を取付けるための取付け部を兼ねている。
【００４３】
詳しくは、可動円筒部材６１の先端面には、その外周面よりも中心軸Ｌ側に、シース２３の基端を取付ける取付け部としての取付け溝５１が形成されている。この取付け溝５１は、内視鏡本体３０の外側に露出しないように、可動円筒部材６１の内側（本実施形態では可動円筒部材６１の内面）に設けられている。この取付け溝５１には、その内周面に沿って第２の係合部としての係合突起５２が形成されている。また、可動円筒部材６１の先端には、シース２３のスリット２７の間に入り込んで、シース２３の周方向の位置決めを行うための位置決めピン５３が設けられている。
【００４４】
シース２３は、以下のようにして操作部３に取付ける。スリット２７の位置を位置決めピン５３の位置に合わせながら、挿入部２をシース２３内に挿入し、シースの基端を可動円筒部材６１の取付け溝５１に差し込む。このとき、シース２３の係合溝２８が係合突起５２に嵌合するまで、シース２３を取付け溝５１内に差し込む。このようにすることにより、シース２３の係合溝２８が係合突起５２を乗り上げながら、該係合溝２８が該係合突起５２に係合（嵌合）するため、クリック感が得られる。また、これにより、シース２３は、可動円筒部材６１に対して、長手方向及び周方向の双方に位置決めされた状態で固定される。
【００４５】
したがって、シース２３は、操作部３の外観に露出しない位置（取付け溝５１の内側）にて、クリック感を伴って操作部３に取付けることができる。また、上述のように、可動円筒部材６１は、操作部本体６３及びこれに固定された固定円筒部材６２に対して、第１のピン６８が第３のピン７０に当接する第１の位置から、第２のピン６９が第３のピン７０に当接する第２の位置までの所定の角度θの範囲内で回転する。したがって、可動円筒部材６１に固定されたシース２３及び挿入部２は、第１のピン６８が第３のピン７０に当接する第１の位置から、第２のピン６９が第３のピン７０に当接する第２の位置までの角度θ範囲内において、操作部本体６３に対して回転させることができる。
【００４６】
上述のように、本実施形態の内視鏡１によれば、送水用管路１１は、第１及び第２の送水用チューブ１１ａ，１１ｂを接続機構４０（送水用チューブ接続装置４１）によって互いに接続させることにより、アングルワイヤ１８やワイヤ接続部材４３等の稼動部材を避けた第１の規定位置に配設されている。同様に、送気用管路１２は、第１及び第２の送気用チューブ１２ａ，１２ｂを接続機構４０（送気用チューブ接続装置４２）によって互いに接続させることにより、アングルワイヤ１８やワイヤ接続部材４３等の稼動部材を避けた第２の規定位置に配設されている。また、アングルワイヤ１８自体もまた、固定部材４４により、送水用管路１１が配設された第１の規定位置及び送気用管路１２が配設された第２の規定位置の双方を避けた領域に誘導されている。したがって、送水用管路１１や送気用管路１２といった管路とアングルワイヤ１８やワイヤ接続部材４３といった稼動部材との間の干渉を抑止することができる。
【００４７】
しかも、送水用チューブ接続装置４１は、その一部である接続部材４１ａが固定部材４４によって操作部３に固定されている。したがって、第１及び第２の送水用チューブ１１ｂを接続装置４１によって接続することにより、送水用管路１１を第１の規定位置（任意位置）に固定することができる。同様に、送気用チューブ接続装置４２は、その一部である接続部材４２ａが固定部材４４によって操作部３に固定されている。したがって、第１及び第２の送気用チューブ１２ａ，１２ｂを接続装置４２によって接続することにより、送気用管路１２を第２の規定位置（任意位置）に固定することができる。このため、内視鏡本体３０内を洗滌するための洗滌ブラシ等の内視鏡本体３０内への挿入性を向上させることができる。しかも、洗滌ブラシで内視鏡本体３０内を洗滌する際も、管路１１，１２がぐらつき難い。したがって、内視鏡本体３０内の洗滌を容易に行うことができる。
【００４８】
さらに、接続装置４１の一部、本実施形態では、接続部材４１ａが固定されているため、第１の送水用チューブ１１ａと第２の送水用チューブ１１ｂとの接続を片手で容易に行うことが可能である。同様に、接続装置４２の一部、本実施形態では、接続部材４２ａが固定されているため、第１の送気用チューブ１２ａと第２の送気用チューブ１２ｂとの接続を片手で容易に行うことが可能である。したがって、組立性及び作業性（メンテナンス性）を向上させることができる。
【００４９】
また、本実施形態の内視鏡１によれば、送気用口金１４は、ライトガイドコネクタ５を光源装置１００に接続するとともにカメラコネクタ７をビデオプロセッサ１０１に接続した際に、送気用口金１４に接続されるチューブが操作パネル１０２の方向とは異なる方向に延出するように、その位置が設定されている。そのため、送気用口金１４が光源装置１００の邪魔になり難い。
【００５０】
しかも、本実施形態の内視鏡１によれば、操作部３に、挿入部２を覆うシース２３が着脱自在に取付けられている。このシース２３は、操作部３に対し、スリット２７が位置決めピン５３に嵌め込まれ、且つ、係合溝２８が係合突起５２に係合された状態で、挿入部２の長手方向に沿ってストレートに取付けられているようになっている。さらに、このシース２３は、操作部３にクリック感をもって取付けられるようになっている。したがって、シース２３を操作部３の先端部分（可動円筒部材６１）に対し周方向及び長手方向の双方に位置決めされた状態で容易に取付けることができる。しかも、シース２３は、操作部３の先端部分（可動円筒部材６１）に対し、周方向に位置決めされた状態で取付けられる。そのため、シース２３が捻れ難く、湾曲チューブ２５が挿入部２に絡みつくのを抑制することができる。
【００５１】
また、位置決めピン５３の位置が操作部本体６３に対して周方向に固定されていると、仮に挿入部２が操作部本体６３に対して回転可能に取付けられていても、シース２３は操作部本体６３に対して回転しない。この場合、挿入部２を操作部本体６３に対して回転させ、合流管路３１の開口部３１ａの位置が周方向にずれると、シース２３が有する整流板２４ａで合流管路３１の開口部３１ａを覆うことができなくなる。
【００５２】
これに対し、本実施形態の内視鏡１によれば、回転機構を有しており、操作部３の先端部分（可動円筒部材６１）が挿入部２及びシース２３とともに所定の角度θだけ回転するように構成されている。言い換えると、操作部３の先端部分（可動円筒部材６１）が取付け溝５１及び位置決めピン５３を有している。したがって、操作部３（操作部本体６３）の手持ち位置を回転させることなく、挿入部２をシース２３とともに回転させ、上下が反転した画像を観察することができる。しかも、操作部３の先端部分（可動円筒部材６１）に対し、シース２３が挿入部２とともに回転するため、常に、合流管路３１の開口部３１ａをシース２３が有する整流板２４ａで覆うことができる。したがって、常に、カバーガラス３３を良好に洗浄することができる。なお、シース２３を取付けていなくても、操作部本体６３の位置を回転させることなく、挿入部２を回転させることができることは言うまでも無い。
【００５３】
しかも、操作部３は、その外周面よりも中心軸Ｌ側（本実施形態では可動円筒部材６１の内面）に、シース２３の操作部３側の基端を取付けるための取付け溝５１を有している。したがって、内視鏡本体３０を大型化させたり、外観を変えたりすることなく、シース２３を操作部３に取付けることができる。
【００５４】
また、シース２３としては、基端に硬質本体部を有するものがあるが、本実施形態の内視鏡１が備えるシース２３では、この硬質本体部を省略している。したがって、部品点数を減らすことができるとともに、組立作業工程を短縮させることができる。
【００５５】
上述した実施形態によれば、次のような構成が得られる。
【００５６】
（付記１）
内視鏡本体内に管路を有する内視鏡であって、
前記内視鏡本体内に設けられ、前記管路の少なくとも一部を構成する一対のチューブと、
前記一対のチューブ同士を接続可能なチューブ接続装置と、
前記チューブ接続装置の少なくとも一部を前記内視鏡本体に対して固定可能な固定部材と、
前記内視鏡本体内に設けられ、該内視鏡本体内で稼動する稼動部材とを具備し、
前記管路は、前記固定部材により少なくとも一部を前記内視鏡本体に対して固定された前記チューブ接続装置によって前記一対のチューブを互いに接続させることで、前記稼動部材を避けた規定位置に配置されることを特徴とする内視鏡。
【００５７】
（付記２）
前記管路は、送水用管路、送気送水用管路、吸引管路、又は、送気用管路であることを特徴とする付記１に記載の内視鏡。
【００５８】
（付記３）
前記内視鏡本体は、挿入部及びこの挿入部に連結される操作部を有しており、
前記操作部に、前記挿入部を覆うシースが着脱自在に取付けられていることを特徴とする付記１又は２に記載の内視鏡。
【００５９】
（付記４）
前記操作部は、その外周面よりも中心軸側に、前記シースの前記操作部側の基端を取付ける取付け部を有していることを特徴とする付記３に記載の内視鏡。
【００６０】
（付記５）
前記シースは、前記操作部側の基端にスリット及び第１の係合部を有しているとともに、前記挿入部は、前記スリットに嵌る位置決めピン及び前記第１の係合部に係合する第２の係合部を有しており、
前記シースは、前記スリットが前記位置決めピンに嵌め込まれ、且つ、前記第１の係合部が前記第２の係合部に係合された状態で、前記挿入部の長手方向に沿ってストレートに取付けられていることを特徴とする付記４に記載の内視鏡。
【００６１】
（付記６）
前記操作部は、操作部本体と、前記位置決めピン及び前記取付け部を有し、前記操作部本体に対して所定の回転角度範囲内で回転自在な可動部材と、を有していることを特徴とする付記５に記載の内視鏡。
【００６２】
（付記７）
前記内視鏡本体は、前記管路と接続される口金、及び、操作パネルを有する光源装置に接続可能なライトガイドコネクタを有しており、
前記口金は、前記ライトガイドコネクタを前記光源装置に接続した際に、前記管路が、前記操作パネルの方向を避けた方向に延出するように、その配置が設定されていることを特徴とする付記１に記載の内視鏡。
【図面の簡単な説明】
【００６３】
【図１】本発明の一形態に係る内視鏡を示す斜視図。
【図２】図１の内視鏡の操作部近傍を一部切り欠いて示す側面図。
【図３】シースを示す側面図。
【図４】図１の内視鏡の挿入部近傍を図３のシースを取付けた状態で一部切り欠いて示す側面図。
【図５】図１の内視鏡を図３のシースを取付けた状態で先端側から見た正面図。
【図６】図１の内視鏡の挿入部の先端部分を示す縦断面図。
【図７】図３のシースの基端部分を示す側面図。
【図８】図１の内視鏡の操作部近傍を図３のシースを取付けた状態で一部切り欠いて示す側面図。
【図９】図８のIX-IX線に沿って切断して示す断面図。
【符号の説明】
【００６４】
１…内視鏡、  １１…送水用管路、  １１ａ，１１ｂ…チューブ、  １２…送気用管路、  １２ａ，１２ｂ…チューブ、  １８…アングルワイヤ（稼動部材）、  ３０…内視鏡本体、  ４０…接続機構、  ４１…送水用チューブ接続装置、  ４２…送気用チューブ接続装置、  ４３…ワイヤ接続部材（稼動部材）、  ４４…固定部材
【図１】
2006218100.tif 000003
【図２】
2006218100.tif 000004
【図３】
2006218100.tif 000005
【図４】
2006218100.tif 000006
【図５】
2006218100.tif 000007
【図６】
2006218100.tif 000008
【図７】
2006218100.tif 000009
【図８】
2006218100.tif 000010
【図９】
2006218100.tif 000011